(57)【要約】【課題】丁番により障子を開閉可能に支持する建具において、障子や丁番の取付け強度が高くなり、意匠面でも優れた障子の支持構造を提供する。【解決手段】縦框９の室外側に縦枠４に向けて突出させて突出部９ａを設け、突出部９ａの室内側に気密材取付け溝９ｂを設ける。これにより、障子を閉じた際に、気密材取付け溝９ｂに嵌着する気密材１８が、縦枠４の室外側見付け面４ｃに当接して気密性を確保する構造とする。気密材取付け溝９ｂの一部を除去し、その除去した部分に、丁番１４の縦框側のアーム部３４を収容する。縦框側取付け部３３を、縦框９の縦枠４に対向する見込み面９ｈに螺子３７により固定する。気密材取付け溝９ｂの除去部に、気密材取付け溝９ｂに嵌着する気密材１８を装着するかまたは別の気密材を装着する。【選択図】図４
2015105501.tif 000002
【特許請求の範囲】
【請求項１】
建物の開口部に固定する枠体の縦枠に、丁番を介して障子の縦框を取付けてなる障子の支持構造において、
前記縦框には前記縦枠の見込み方向室外側面と対向する突出部が設けられ、前記突出部の上下方向に沿って気密材が設けられ、
前記丁番は前記突出部の見付け方向に沿って配置されるアーム部を有しており、前記アーム部は前記突出部と、前記気密材の間に配置されることを特徴とする障子の支持構造。
【請求項２】
請求項１に記載の障子の支持構造において、
前記気密材は、前記突出部の室内側に設けた気密材取り付け溝に取付けられ、
前記アーム部は、前記気密材取付け溝に設けた凹部に挿入されていることを特徴とする障子の支持構造
【請求項３】
請求項１または２に記載の障子の支持構造において、
前記縦枠の前記縦框に対向する見込み面に、嵌め殺し窓として構成する場合のガラスパネル固定用の押縁取付け溝を設け、
前記縦枠の室内側に、前記縦框の室内側の面を当接させると共に、嵌め殺し窓として構成する場合にガラスパネルの室内側面を当接させる気密材を嵌着する気密材取付け溝を設けた
ことを特徴とする障子の支持構造
【発明の詳細な説明】
【技術分野】
【０００１】
本発明は、住宅等の建物に設置される開き窓やドア等ように、障子が丁番により枠に取付けられる建具における障子の支持構造に関する。
【背景技術】
【０００２】
開き窓やドア等は、障子が枠に対して丁番を介して開閉可能に取付けられる。特許文献１には、蝶番の枠側取付け板を縦枠の見込み面に取付け、蝶番の障子側取付け板を、障子の縦框の縦枠対向面である見込み面に取付けた開きドアが開示されている。この特許文献１に開示の開きドアにおいては、縦枠の障子対向面に障子側に突出する突出部を設け、この突出部の室外側に気密材取付け溝を形成し、この気密材取付け溝に設けた気密材に、障子の縦框の室外側部分における室内側の面を当てることにより、気密性が確保されるように構成している。
【０００３】
ところで、嵌め殺し窓と開き窓とを１つの枠内に装着する連窓を構成する場合、嵌め殺し窓側の縦横の枠と開き窓の縦横の枠を共通の断面形状にすることが、製造ラインを共通化して経済化を図る上で有利である。また、嵌め殺し窓や開き窓を別々に設置する場合であっても、縦横の枠の断面形状を同じにすることが、製造ラインを共通化して経済化を図る上で有利である。
【０００４】
しかしながら、特許文献１に記載のように、縦枠の障子側に突出する突出部を設け、その突出部の室外側に気密材取付け溝を設け、その気密材取付け溝に気密材を嵌着する構造では、これを嵌め殺し窓に用いると、気密材取付け溝が室外側見付け面にあるため、外観が悪くなるので、採用ができない。
【０００５】
このため、嵌め殺し窓に兼用できる開き窓の縦枠として、従来は図１５に示す構造のものおよび丁番取付け構造を採用していた。図１５において、５０は縦枠、５１は障子の縦框、５２は縦枠５０に縦框５１を取付ける丁番であり、丁番５２の縦枠側取付け板５２ａを、縦枠５０の室外側見付け面５０ａに螺子５３により取付け、丁番５２の縦框側取付け板５２ｂを、縦框５１の室外側に縦枠５０に向けて突出させて設けた突出部５１ａの見込み面部５１ｂに、間隔調整板５４を介して螺子５５により取付ける。
【０００６】
また、縦框５１の突出部５１ａの室内側の面に気密材取付け溝５１ｃを形成し、気密材取付け溝５１ｃに嵌着する気密材５６を、縦枠５０の室外側見付け面５０ａに当接させることにより、気水密性、断熱性が得られるように構成している。５０ｂは嵌め殺し窓のガラスパネル(図示せず)を取付けるための押縁取付け溝、５０ｃは縦枠５０に設けた気密材取付け溝、５７はこの気密材取付け溝５０ｃに嵌着した気密材であり、障子の縦框５１の室内側見付け面を当接させて気水密性を保つものである。
【０００７】
このような構造とすれば、縦枠５０を嵌め殺し窓の縦枠として用いる場合、気密材５７と、押縁取付け溝５０ｂに取付ける押縁(図示せず)との間でガラスパネル(図示せず)を挟持することにより、縦枠５０を嵌め殺し窓の縦枠として用いることができ、縦枠５０を開き窓と嵌め殺し窓とで兼用することが可能となる。
【先行技術文献】
【特許文献】
【０００８】
【特許文献１】特許第３１３８８５６号公報
【発明の概要】
【発明が解決しようとする課題】
【０００９】
しかしながら、図１５のような丁番５２の取付け構造によると、丁番５２の縦框側取付け板５２ｂを取付ける見込み面５１ｂの室内外方向の幅ｔ１が狭いため、丁番５２および縦框５１の取付け強度を確保することが困難であるという問題点がある。また、丁番５２の縦框側取付け板５２ｂや間隔調整板５４が室外側から見えるため、意匠面で劣るという問題点がある。
【００１０】
本発明は、上記問題点に鑑み、丁番により障子を開閉可能に支持する建具において、障子や丁番の取付け強度が高くなり、意匠面でも優れた障子の支持構造を提供することを目的とする。
【課題を解決するための手段】
【００１１】
請求項１の障子の支持構造は、建物の開口部に固定する枠体の縦枠に、丁番を介して障子の縦框を取付けてなる障子の支持構造において、
前記縦框には前記縦枠の見込み方向室外側面と対向する突出部が設けられ、前記突出部の上下方向に沿って気密材が設けられ、
前記丁番は前記突出部の見付け方向に沿って配置されるアーム部を有しており、前記アーム部は前記突出部と、前記気密材の間に配置されることを特徴とする。
【００１２】
請求項２の障子の支持構造は、請求項１に記載の障子の支持構造において、
前記気密材は、前記突出部の室内側に設けた気密材取り付け溝に取付けられ、
前記アーム部は、前記気密材取付け溝に設けた凹部に挿入されていることを特徴とする。
【００１３】
請求項３の障子の支持構造は、請求項１または２に記載の障子の支持構造において、
前記縦枠の前記縦框に対向する見込み面に、嵌め殺し窓として構成する場合のガラスパネル固定用の押縁取付け溝を設け、
前記縦枠の室内側に、前記縦框の室内側の面を当接させると共に、嵌め殺し窓として構成する場合にガラスパネルの室内側面を当接させる気密材を嵌着する気密材取付け溝を設けたことを特徴とする。
【発明の効果】
【００１４】
請求項１の発明の障子の支持構造は、丁番の縦框側アーム部を突出部の見付け方向に沿って配置すると共に、突出部と、気密材との間に配置したので、丁番の縦框側取付け部は、縦框の縦枠に対向する見込み面に取付けられるため、十分な取付け面積を確保でき、障子の丁番による取付け強度が確保できる。また、丁番の縦框に対する取付け部が外部から目視できないため、障子の丁番による取付け部の意匠性が向上する。
【００１５】
請求項２の発明の障子の支持構造は、縦框の突出部の室内側に設けた気密材取付け溝の一部に設けた凹部に、丁番の縦框側アーム部を挿入したので、高い気水密性が確保できる。
【００１６】
請求項３の発明によれば、縦枠の縦框に対向する見込み面に、嵌め殺し窓として構成する場合に用いるガラスパネル固定用の押縁の取付け溝を設け、また、縦枠の室内側に、縦框の室内側の面を当接させると共に、嵌め殺し窓として構成する場合にガラスパネルの室内側面を当接させる気密材を嵌着する気密材取付け溝を設けたので、縦枠を嵌め殺し窓用、あるいは嵌め殺し窓と開き窓との連窓に用いる縦枠として兼用でき、もって枠の製造ラインの共通化が可能となり、経済化が達成できる。
【図面の簡単な説明】
【００１７】
【図１】本発明を適用する建具の一例である開き窓を室内側から見た正面図である。
【図２】本発明の障子の支持構造の一実施の形態を示す図１の開き窓の横断面図である。
【図３】この開き窓の縦断面図である。
【図４】図２の一部拡大横断面図である。
【図５】（Ａ）はこの実施の形態の丁番を示す斜視図、（Ｂ）はその一部分解平面図である。
【図６】この実施の形態の障子の支持構造を示す分解斜視図である。
【図７】この実施の形態の障子の支持構造を示す斜視図である。
【図８】この実施の形態の縦枠を用いて構成した嵌め殺し窓を示す横断面図である。
【図９】本発明の障子の支持構造の他の実施の形態を示す分解斜視図である。
【図１０】図９の障子の支持構造を示す斜視図である。
【図１１】本発明の障子の支持構造のさらに他の実施の形態を示す分解斜視図である。
【図１２】図１１の障子の支持構造を示す斜視図である。
【図１３】本発明の障子の支持構造のさらに他の実施の形態を示す分解斜視図である。
【図１４】図１３の障子の支持構造を示す斜視図である。
【図１５】従来の障子の支持構造を示す横断面図である。
【発明を実施するための形態】
【００１８】
図１は本発明を適用する建具の一例である開き窓を室内側から見た正面図、図２および図３はそれぞれ図１の横断面図、縦断面図である。これらの図において、１は建物の開口部に固定する枠体となる窓枠、２は障子であり、本実施の形態の建具は、勝手口やテラスへの出入り口に設けられる樹脂サッシでなる片開き窓を示している。窓枠１は合成樹脂製押出形材でなる左右の縦枠３，４と、合成樹脂製押出形材でなる上下の横枠５，６をそれぞれ接合部７において溶着により接合したものである。
【００１９】
障子２は、合成樹脂製押出形材でなる左右の縦框８，９と、合成樹脂製押出形材でなる上横框１０と、下横框１１とを接合部１２において溶着より接合し、これらで組まれた枠内にガラスパネル１３を組み込んで構成したものである。本実施の形態は、図２、図３に示すように、ガラスパネル１３として３枚のガラスパネルを断熱性の高いガス層の密封構造で組み合わせたトリプルパネルにより構成した例を示す。図４において、１４は障子２を一方の縦枠４に開閉可能に枢着する丁番である。
【００２０】
図２、図３において、１５は窓の室内側、１６は室外側である。１７は窓枠１における障子２の受け面に設けた気密材である。この気密材１７は、縦枠３，４、上横枠５および下横枠６の各室内側部分にそれぞれ設けた気密材取付け溝３ａ，４ａ，５ａ，６ａに嵌着して窓枠１の４周に連続させ、両端を突き合わせて取付ける。
【００２１】
１８は障子２における窓枠１に対する当接面に設けた気密材である。この気密材１８を取付けるため、縦框８，９、上横框１０および下横框１１の室外側部分にそれぞれ見付け面の面内方向（図２、図３に矢印２７で示す。）の外側に突出させて突出部８ａ，９ａ，１０ａ，１１ａを設け、各突出部の室内側にそれぞれ気密材取付け溝８ｂ，９ｂ，１０ｂ，１１ｂを設けており、気密材１８は、これらの気密材取付け溝８ｂ，９ｂ，１０ｂ，１１ｂに嵌着して、後述の構造により４周に連続させ、両端を突き合わせて取付ける。
【００２２】
１９は障子２のガラスパネル１３の４周における室内側の面と框８〜１１との間の気水密性を保持する気密材であり、この気密材１９は、縦框８，９、上横框１０および下横框１１の室内側の部分にそれぞれ設けた気密材取付け溝８ｃ，９ｃ，１０ｃ，１１ｃに４周を連続させて設ける。２０は障子２の框８〜１１にガラスパネル１３を固定する押縁であり、この押縁２０は、縦框８，９、上横框１０および下横枠１１の室外側の部分に設けた押縁取付け溝８ｄ，９ｄ，１０ｄ，１１ｄに嵌着し、押縁２０によりガラスパネル１３の室外側の面の４周に押し付けるようにして設ける。なお、前記気密材１７〜１９は弾性を有するゴムまたは合成樹脂製のものである。また、押縁２０も少なくともガラスパネル１３との接触部をゴムまたは合成樹脂製の弾性材により構成する。
【００２３】
２３，２４はグレモン錠のハンドルであり、これらのハンドル２３，２４は縦框８に室内側１５、室外側１６にそれぞれ突出させて取付ける。２６はこれらのハンドル２３，２４の回動操作により上下動させる施錠用ロックピンであり、このロックピン２６は、縦框８における見付け面の面内方向（図２に矢印２７で示す。）の外側の面に上下動可能に取付ける。このロックピン２６は、ハンドル２３，２４の回動操作により、縦框８の中央のホロー部８ｅに収容する操作力伝達機構(図示せず)を介して上下動させ、縦枠３に取付けた受け具２８の溝２８ａに嵌合、離脱させ、これによりロック、ロック解除を行なうものである。
【００２４】
図４は図２の部分拡大断面図であり、本実施の形態の丁番１４の取付け構造を示すものである。図５（Ａ）は丁番１４の斜視図、図５（Ｂ）はその一部分解平面図である。また、図６はこの丁番１４による縦框９の縦枠４への取付け前の状態を示す分解斜視図、図７は取付け後の状態を示す斜視図である。
【００２５】
図５において、３０は縦枠４への取付け部、３１はこの取付け部３０に対してほぼ直角に曲成して一体に形成されたアーム部、３２はこのアーム部３１に一体に設けられた軸である。３３は縦框９への取付け部、３４はこの取付け部３３に対してほぼ直角に曲成して一体に形成されたアーム部、３５はこのアーム部３４の端部に形成された筒部である。この筒部３５を軸３２に対して回動可能に嵌合する。取付け部３０，３３には、それぞれ図４に示す取付け用のねじ３６，３７を通すねじ挿通孔３０ａ，３３ａを有する。３８は軸３２と筒部３５との嵌合部分を覆って雨水等の浸入を防ぐカバーとなる筒体である。
【００２６】
図４において、４０は縦枠４のホロー部４ｂ内に嵌合して設けた丁番取付け用の裏板であり、ねじ３６を螺合するねじ孔を有するものである。丁番１４の縦枠側取付け部３０は、この取付け部３０を縦枠４の室外側見付け面４ｃに当て、ねじ３６を、ねじ挿通孔３０ａおよび縦枠４に設けたねじ挿通孔に通して裏板４０に設けたねじ孔に螺合することにより、縦枠４に固定する。
【００２７】
図６に示すように、丁番１４を縦框９に取付けるため、縦框９の気密材取付け溝９ｂの丁番取付け部を除去する。この実施の形態においては、この除去部（凹部）９ｆは、気密材取付け溝９ｂの底板部を含めて形成している。４１はこの除去部９ｆに嵌める溝形成部品であり、縦框９の気密材取付け溝９ｂと同じ深さと幅の気密材取付け溝４１ａを有する。この溝形成部品４１は、その裏面に、丁番１４のアーム部３４に嵌合する深さと上下幅の凹部４１ｂを有する。
【００２８】
図４において、４２は縦框９のホロー部９ｇ内に嵌合して設けた鋼材でなる芯材であり、ねじ３７で丁番１４を縦框９に固定するための裏板となるものであり、丁番取付け用のねじ孔を有する。４３は間隔調整板であり、この間隔調整板４３は、必要に応じて取付け部３３の取付け面、すなわち縦框９の縦枠４に対向する見込み面９ｈと取付け部３３との間に設けるものである。この間隔調整板４３は、取付け部３３を縦框９に取付ける際に、取付け部３３と見込み面９ｈとの間に挿入してねじ４４により見込み面９ｈに取付けるものであり、図６に示すように、ねじ３７を挿通するためのスリット４３ａを有する。
【００２９】
取付け部３３の縦框９への取付けは、図７に示すように、アーム部３４を縦框９の除去部９ｆに収容すると共に、溝形成部品４１の裏面の凹部４１ｂをアーム部３４に嵌めて溝形成部品４１を除去部９ｆに嵌める。そして取付け部３３を縦框９の見込み面９ｈに当て、ねじ３７を、取付け部３３のねじ挿通孔３３ａ、間隔調整板４３のスリット４３ａ、および縦框９に設けたねじ挿通孔９ｉ（図６参照）に通して芯材４２に設けたねじ孔に螺合し締結することにより、取付け部３３の縦框９への取付けを行なう。
【００３０】
気密材１８の取付けは、図７に示すように、縦框９の気密材取付け溝９ｂおよび溝形成部品４１の気密材取付け溝４１ａに気密材１８を嵌着することにより行なう。
【００３１】
この実施の形態においては、丁番１４の縦框側取付け部３３を、縦框９の縦枠４に対向する見込み面９ｈにねじ３７により固定して取付けた構造を有するものであり、見込み面９ｈは室内外方向に十分な幅を確保できるため、取付け面積を確保でき、障子２の丁番１４による取付け強度が確保できる。また、丁番１４の縦框９に対する取付け部３３やアーム部３４が外部から目視できないため、障子２の丁番１４による取付け部の意匠性が向上する。
【００３２】
また、この実施の形態においては、縦框９に設ける気密材取付け溝９ｂの除去部９ｆに、気密材取付け溝４１ａを有する溝形成部品４１を嵌め込み、気密材取付け溝９ｂと溝形成部品４１の気密材取付け溝４１ａに連続させて気密材１８を嵌着したので、同じ気密材１８が丁番取付け部でも連続することにより、高い気水密性を確保できる。
【００３３】
また、縦框９側に気密材１８を取付け、この気密材１８を、縦枠４の室外側見付け面４ｃに当接させる構造としたので、縦枠４の室外側見付け面４ｃをフラットな面とした気密構造が実現でき、気密構造が、縦枠４が嵌め殺し窓に用いられる縦枠や、嵌め殺し窓を開き窓との連窓として構成される縦枠にも適用可能な縦枠として構成する場合の障害とならない。
【００３４】
図８はこの実施の形態の縦枠４を用いて構成した嵌め殺し窓を示す横断面図である。この嵌め殺し窓は図２、図３に示した縦枠３，４、上横枠５および下横枠６は合成樹脂製押出形材でなるもので、これらの枠３〜６はすべて同じ断面形状を有して各隣接する枠を４５度の傾斜した結合面で溶着して枠を構成するものである。ガラスパネル４６をこれらの枠内に装着して構成したものである。ガラスパネル４６は、その室内側の面を、縦枠３，４の室内側に設ける気密材取付け溝３ａ，４ａに嵌着した気密材４７に当て、室外側に縦枠３，４の互いに対向方向に向けて形成した溝３ｄ，４ｄに装着する押縁４８により固定して取付ける。このように、この実施の形態の縦枠４は、嵌め殺し窓用の枠として兼用することができるので、開き窓と嵌め殺し窓で枠の製造ラインを共通化することができ、経済化が達成できる。また、この縦枠４は、嵌め殺し窓と開き窓との連窓に用いる縦枠としても兼用できる。
【００３５】
図９は本発明の障子の支持構造の他の実施の形態を示す分解斜視図、図１０は組立後の状態を示す斜視図である。この実施の形態においては、アーム部３４に気密材取付け溝３４ａを設け、アーム部３４を縦框９の除去部９ｆに挿入した状態において、縦框９の気密材取付け溝９ｂにアーム部３４に設けた気密材取付け溝３４ａを連続させ、これらの気密材取付け溝９ｂ，３４ａに気密材１８を嵌着することにより、連続した気密材１８が縦框９に取付けられるようにしたものである。この実施の形態においても、気密材１８を丁番１４の取付け部において連続させることができ、高い気密性を保つことができる。
【００３６】
図１１は本発明の障子の支持構造のさらに他の実施の形態を示す分解斜視図、図１２は組立後の状態を示す斜視図である。この実施の形態は、縦框９の気密材取付け溝９ｂの先端部分を、アーム部３４の上下幅分だけアーム部３４の厚みとほぼ同じ深さで除去し、この除去部（凹部）９ｊにアーム部３４を挿入する。このようにアーム部３４を除去部９ｊに挿入した状態においては、気密材取付け溝９ｂの除去部９ｊ以外の表面とアーム部３４の表面はほぼ同面をなす。
【００３７】
一方、気密材１８の溝９ｂへの嵌合部１８ａを、アーム部３４の上下幅分だけ除去する。そして気密材１８の除去部１８ｂを、気密材取付け溝９ｂの除去部９ｊに収容したアーム部３４に嵌めて気密材１８を気密材取付け溝９ｂに装着する。この実施の形態においても、気密材１８を丁番１４の取付け部において連続させた気密構造が実現できる。
【００３８】
図１３は本発明の障子の支持構造のさらに他の実施の形態を示す分解斜視図、図１４は組立後の状態を示す斜視図である。この実施の形態は、縦框９の気密材取付け溝９ｂの先端部分をアーム部３４の上下幅分だけアーム部３４の厚みとほぼ同じ深さで除去し、この除去部（凹部）９ｋにアーム部３４を挿入する。また、アーム部３４には、その上下全幅にわたってスポンジまたはゴム等の弾性材からなる気密材４９を貼り付ける。この気密材４９の厚さは、気密材１８の嵌合部１８ａ（図１１参照）を除いた気密材としての弾性を有する部分の厚さとほぼ同じとする。
【００３９】
一方、気密材取付け溝９ｂに取付ける気密材１８は、アーム部３４の装着部で分断し、上下に分断した気密材１８，１８を、それぞれアーム部３４の上下において、気密材取付け溝９ｂに嵌着する。このように、気密材取付け溝９ｂに取付ける気密材１８以外の別部品でなる気密材４９によっても気密構造を実現することができる。
【００４０】
以上本発明を実施の形態により説明したが、アーム部３４を突出部９ａに配置するために気密材取付け溝９ｂの一部を除去するのではなく、突出部９ａに穴を設けてその穴にアーム部３４を挿入することにより、アーム部３４を配置するようにしてもよい。その他、本発明を実施する場合、本発明の要旨を逸脱しない範囲において、各部の構造と部品の組み合わせについて、種々の変更、付加が可能である。
【符号の説明】
【００４１】
１：窓枠、２：障子、３，４：縦枠、４ｃ：室外側見付け面、５：上横枠、６：下横枠、７：接合部、８，９：縦框、８ｂ，９ｂ，１０ｂ，１１ｂ：気密材取付け溝、８ｄ，９ｄ，１０ｄ，１１ｄ：押縁取付け溝、９ｆ，９ｊ，９ｋ：除去部、９ｈ：見込み面、１０：上横框、１１：下横框、１２：接合部、１３：ガラスパネル、１４：丁番、１７，１８，１９：気密材、１８ｂ：除去部、２０：押縁、３０：縦枠への取付け部、３１：アーム部、３２：軸、３３：縦框への取付け部、３４：アーム部、３５：筒部、３６，３７：ねじ、３８：筒体、４０：裏板、４１：溝形成部品、４２：芯材、４３：間隔調整板、４６：ガラスパネル、４７：気密材、４８：押縁、４９：気密材
【図１】
2015105501.tif 000003
【図２】
2015105501.tif 000004
【図３】
2015105501.tif 000005
【図４】
2015105501.tif 000006
【図５】
2015105501.tif 000007
【図６】
2015105501.tif 000008
【図７】
2015105501.tif 000009
【図８】
2015105501.tif 000010
【図９】
2015105501.tif 000011
【図１０】
2015105501.tif 000012
【図１１】
2015105501.tif 000013
【図１２】
2015105501.tif 000014
【図１３】
2015105501.tif 000015
【図１４】
2015105501.tif 000016
【図１５】
2015105501.tif 000017